(57)【特許請求の範囲】
【請求項１】
底壁(3)の周囲に側壁(4)及び端壁(5)を立設した身箱(1)と、商品を立体的に模ったダミー部材(2)とから成り、身箱(1)にダミー部材(2)を内装して展示するダミー展示箱において、紙シート製のダミー部材(2)を曲げて模擬商品部(21)を形成し、身箱(1)の底壁(3)から保持片(13)を起こし、ダミー部材(2)の表面側から見て窪んだ凹壁部(22)と保持片(13)の溝部(15)とを噛み合わせることにより、ダミー部材(2)を保形すると共に、身箱(1)にダミー部材(2)を固定したことを特徴とする紙製ダミー展示箱。
【発明の詳細な説明】
【技術分野】
【０００１】
この発明は、缶入り飲料等のギフト商品の展示見本として、紙製の模擬商品を使用したダミー展示箱に関するものである。
【背景技術】
【０００２】
一般に、中元や歳暮の季節になると、ギフト商品として、ビール等の飲料の缶を箱詰めしたものが店頭で展示される。この際、商品の実物を身箱に詰めたものを展示しようとすると、非常に重くなって展示作業に支障を来たすおそれがあり、展示期間終了後に商品が無駄になるという不都合もある。
【０００３】
また、実物に代えて、商品の外観を印刷した平板状の紙シートを身箱に内装して展示する場合もあるが、この場合、展示物と実際のギフト商品のイメージが乖離し、消費者への訴求力が低下するおそれがある。
【０００４】
その対策として、下記特許文献１に記載されたように、模擬商品を使用したダミー展示箱を展示することが考えられている。
【０００５】
このダミー展示箱は、図８に示すように、身箱５１とこれに内装されるダミー部材５２とから成り、身箱５１は、底壁５３の周囲に各一対の側壁５４及び端壁５５を立設したトレー状とされ、ダミー部材５２は、商品であるビールの缶を立体的に模った形状となるように、プラスチックシートを塑性変形させて形成されている。
【先行技術文献】
【特許文献】
【０００６】
【特許文献１】特開平９−２８８４５２号公報
【発明の概要】
【発明が解決しようとする課題】
【０００７】
しかしながら、上記のようなダミー展示箱では、ダミー部材の成型や印刷に多額のコストがかかるという問題がある。
【０００８】
そこで、この発明は、商品の実物を展示しているように見せて訴求性を確保することができ、かつ、展示に要するコストも抑制できるようにすることを課題とする。
【課題を解決するための手段】
【０００９】
上記のような課題を解決するため、この発明は、底壁の周囲に側壁及び端壁を立設した身箱と、商品を立体的に模ったダミー部材とから成り、身箱にダミー部材を内装して展示するダミー展示箱において、紙シート製のダミー部材を曲げて模擬商品部を形成し、身箱の底壁から保持片を起こし、ダミー部材の表面側から見て窪んだ凹壁部と保持片の溝部とを噛み合わせることにより、ダミー部材を保形すると共に、身箱にダミー部材を固定したのである。
【発明の効果】
【００１０】
この発明に係るダミー展示箱では、模擬商品部が商品を模ったように保形されるので、模擬商品を形成するダミー部材を成型する必要がなく、ダミー部材への印刷も容易であるので、商品の実物を展示しているように立体的に見せて訴求性を確保しつつ、展示に要するコストを抑制できる。
【図面の簡単な説明】
【００１１】
【図１】実施形態に係る紙製ダミー展示箱の平置き展示状態を示す斜視図
【図２】同上の組立過程を示す分解斜視図
【図３】同上の組立過程を示す分解斜視図
【図４】同上の身箱とダミー部材の係止部を示す一部拡大縦断側面図
【図５】同上の起立展示状態を示す後方からの斜視図
【図６】同上の身箱のブランクを示す図
【図７】同上のダミー部材のブランクを示す図
【図８】従来のダミー展示箱を示す（Ａ）平面図、（Ｂ）側壁間の縦断面図
【発明を実施するための形態】
【００１２】
以下、この発明の実施形態を図１乃至図７に基づいて説明する。
【００１３】
このダミー展示箱は、図１及び図２に示すように、ギフト商品であるビールの缶の展示に使用するものであり、身箱１と２個のダミー部材２とから構成される。身箱１は段ボールシートを材料とし、ダミー部材２は、板紙シートを材料として形成される。
【００１４】
図６に示す身箱１のブランクでは、底壁３の周囲に各一対の側壁４及び端壁５がそれぞれ連設され、二重構造とする各側壁４及び一方の端壁５は、外面板６、頂板７及び内面板８を底壁３側から順次設けたものとされている。他方の端壁５は一重構造とされ、その先端には商品のＰＲ用のデザインを印刷した表示板９が連設されている。
【００１５】
一方の端壁５の内面板８の両側には突起８ａが、両側壁４の内面板８の一側には切欠部８ｂがそれぞれ設けられている。一方の端壁５の外面板６及び他方の端壁５の両側には、折曲片１０が連設され、側壁４には折畳線４ａが斜めに入れられている。表示板９の両側には差込片１１が連設され、側壁４の頂板７には差込穴１２が設けられている。
【００１６】
底壁３の中間部と一方の端壁５寄り部分には、横方向に延びる２個の保持片１３が切込により形成され、保持片１３は、折目線をヒンジとして引き起こし可能とされている。保持片１３には、５個の半円弧状の当接縁１４と、隣り合う当接縁１４の間の溝部１５と、溝部１５の下方に位置する貫穴１６とが設けられている。
【００１７】
底壁３の他方の端壁５寄りの部分には、一対のスタンド板１７が切込により形成され、その内側部分には、固定片１８が切込により形成されている。
【００１８】
スタンド板１７の内側縁及び固定片１８の先端縁には、それぞれ切込１７ａ，１８ａが形成され、スタンド板１７の外側縁沿い及び固定片１８の先端縁には、それぞれ指入穴１７ｂ，１８ｂが設けられている。
【００１９】
図７に示す２個のダミー部材２のブランクでは、ビールの缶のデザインと同様のデザインを印刷した模擬商品部２１が３列又は２列それぞれ設けられ、各列の模擬商品部２１には、缶のデザインが３個ずつ直列に印刷されている。
【００２０】
各ダミー部材２のブランクの両側部及び隣り合う模擬商品部２１の間には、凹壁部２２が設けられ、隣り合う模擬商品部２１の間の凹壁部２２と、身箱１への内装時に隣り合うブランクの一側部の凹壁部２２には、スリット２３が２本ずつ設けられている。各スリット２３には、突起２４が設けられている。
【００２１】
このようなブランクからダミー展示箱を組み立てるには、図２及び図３に示すように、身箱１において、底壁３から端壁５を起こし、折曲片１０を内側へ折り曲げ、側壁４を起こして、頂板７を内側へ、内面板８を下方へ折り曲げ、側壁４の外面板６と内面板８の間に折曲片１０を挟み込み、突起８ａと切欠部８ｂとを係合させる。
【００２２】
なお、身箱１は、折曲片１０の表面と側壁４の裏面の折畳線４ａよりも外側の部分とを貼り付け、内面板８を跳ね上げ、折畳線４ａに沿って側壁４を谷折りし、側壁４及び端壁５を底壁３に折り重ねておくことにより、嵩張らない状態で保管しておくことができ、その折畳状態から側壁４及び端壁５を起立させて、迅速に組み立てることができる。
【００２３】
また、各ダミー部材２において、模擬商品部２１を半円筒状に折り曲げ、隣り合う凹壁部２２同士を重ねて貼り合わせる。
【００２４】
次に、身箱１の保持片１３を底壁３から起立させ、保持片１３の溝部１５にダミー部材２の凹壁部２２を差し込んで、溝部１５とスリット２３とを噛み合わせ、側壁４の内面と保持片１３の側縁との間に外側の凹壁部２２を差し込む。
【００２５】
このとき、図４に示すように、保持片１３の貫穴１６にスリット２３の突起２４が嵌り込み、溝部１５から凹壁部２２が抜け止めされる。
【００２６】
そして、図１に示すように、表示板９を折り曲げて、身箱１の開口面の一部を覆い、差込片１１を差込穴１２に差し込むと、ダミー展示箱が完成する。
【００２７】
上記のようなダミー展示箱では、保持片１３の当接縁１４が模擬商品部２１の裏面に沿い、模擬商品部２１が商品の缶を模ったように保形されるので、ダミー部材２をプレス等により成型する必要がなく、ダミー部材２が紙シート製であることから、ダミー部材２への印刷も容易であり、商品の実物を展示しているように立体的に見せて訴求性を確保しつつ、展示に要するコストを抑制できる。
【００２８】
また、図１に示す平置き状態だけでなく、図５に示すように、底壁３からスタンド板１７及び固定片１８を順次起こして、切込１７ａ，１８ａを係合させることにより、身箱１を上方へかけて後傾した起立状態に保持して、展示することができる。
【００２９】
なお、上記実施形態では、模擬商品部２１を、ビールの缶を模ったものとしたが、模擬商品部２１は、飲料のパックや海苔、サラダ油等の缶、和菓子の紙箱等、角張った商品を模ったものとすることもできる。
【符号の説明】
【００３０】
１  身箱
２  ダミー部材
３  底壁
４  側壁
４ａ  折畳線
５  端壁
６  外面板
７  頂板
８  内面板
８ａ  突起
８ｂ  切欠部
９  表示板
１０  折曲片
１１  差込片
１２  差込穴
１３  保持片
１４  当接縁
１５  溝部
１６  貫穴
１７  スタンド板
１７ａ  切込
１７ｂ  指入穴
１８  固定片
１８ａ  切込
１８ｂ  指入穴
２１  模擬商品部
２２  凹壁部
２３  スリット
２４  突起
【図１】
0005554737.tif 000002
【図２】
0005554737.tif 000003
【図３】
0005554737.tif 000004
【図４】
0005554737.tif 000005
【図５】
0005554737.tif 000006
【図６】
0005554737.tif 000007
【図７】
0005554737.tif 000008
【図８】
0005554737.tif 000009